(57)【要約】【課題】直飲みと、専用ストローを使用した吸い飲みと、既製ストローを使用した吸い飲みとに選択したハイブリッド使用ができるようにする。【解決手段】断熱容器本体１の容器口４にて容器本体１内に通じる液通路５を一部に有して直飲みができる飲み口６を持った飲み口部７に加え、液通路５の途中で、突出作用部８を有した専用ストロー９を出没および着脱できるように支持する第１の穴１１と、その両側に連なり一方側で既製ストロー１０の蛇腹部１２下の吸い上げ部１０ａを抜き差しできるように支持し、他方側で蛇腹部１２を屈曲させて下向きとなった吸い口１０ｂを抜き差しできるように保持する第２、第３の穴１３、１４と、を少なくとも有して直飲みのための直飲み開口１５を形成したストロー保持部１６と、を設けて、上記の目的を達成する。【選択図】　図１
2004131129.tif 000002
【特許請求の範囲】
【請求項１】
飲料を収容するための断熱構造を有した容器本体と、
この容器本体の容器口において容器本体内に通じる液通路を一部に有して直飲みをすることができる飲み口を持った飲み口部と、
前記液通路の途中に設けられて、突出作用部を有した専用のストローを出没および着脱できるように受け入れて支持する第１の穴と、この第１の穴の両側に連なって一方側では既製ストローの蛇腹部下の吸い上げ部を抜き差しできるように受け入れて支持し、他方側では前記蛇腹部を上に凸となるように屈曲させて下向きとなった吸い口を抜き差しできるように受け入れて格納状態に保持する第２、第３の穴と、を少なくとも有して直飲みのための直飲み開口を形成したストロー保持部と、を備え、
ストローを用いない直飲みと、専用ストローを使用した吸い飲みと、既製ストローを使用した吸い飲みとに選択使用できることを特徴とするハイブリッドボトル。
【請求項２】
飲料を収容するための容器本体と、
この容器本体の容器口の外端の飲み口にて直飲みをすることができる液通路と、
この液通路の途中に設けられて、突出作用部を有した専用のストローを受け入れて出没および着脱できるように吸気部を残して支持し、蛇腹部を有した既製ストローをその蛇腹部下の吸い上げ部を抜き差しできるように受け入れて吸気部を残して支持するとともに、前記蛇腹部を上に凸となるように屈曲させて下向きとなった吸い口を抜き差しできるように受け入れて格納状態に保持するストロー保持部と、を備え、
ストローを用いない直飲みと、ストローを使用した吸い飲みとに選択使用できることを特徴とするハイブリッドボトル。
【請求項３】
ストロー保持部は、専用ストローと既製ストローとで個別な保持部を有している請求項２に記載のハイブリッドボトル。
【請求項４】
専用ストローの保持部は、専用ストローを抜き差し自在に受け入れるように１つ設けられる第１の穴であり、既製ストローの保持部は、前記第１の穴の両側に連なって一方側では既製ストローの蛇腹部下の吸い上げ部を抜き差しできるように受け入れて支持し、他方側では前記支持された既製ストローの蛇腹部を上に凸となるように屈曲させて下向きとなった吸い口を抜き差しできるように受け入れて格納状態に保持する第２、第３の穴である請求項３に記載のハイブリッドボトル。
【請求項５】
第１の穴、第２、第３の穴は互いに連続して直飲みのための直飲み開口を形成している請求項４に記載のハイブリッドボトル。
【請求項６】
容器本体は断熱構造を有した断熱容器である請求項２〜５のいずれか１項に記載のハイブリッドボトル。
【請求項７】
専用ストローの突出作用部は、専用ストローの下部に設けられて容器本体の底部への押しつけ度合によって屈伸する可撓パイプ、または、ストロー保持部との間で専用ストローに直接または間接に働かせたばね部材である請求項１〜６のいずれか１項に記載のハイブリッドボトル。
【請求項８】
前記容器口または飲み口に着脱できるように装着されて、専用ストローが装着されているときは、それを没入状態にして保持し、既製ストローが差し込まれているときは、前記格納状態の吸い口側を覆う蓋を備えている請求項１〜７のいずれか１項に記載のハイブリッドボトル。
【請求項９】
前記格納状態となっている既製ストローの蛇腹部は、飲み口の上端よりも上方に突出している請求項１〜８のいずれか１項に記載のハイブリッドボトル。
【請求項１０】
第１の穴、第２、第３の穴が一直線上に並ぶ方向と交差する方向の両側に補助穴を有している請求項１、４、５のいずれか１項に記載のハイブリッドボトル。
【請求項１１】
容器本体の断熱構造は金属製の真空二重構造である請求項１、６のいずれか１項に記載のハイブリッドボトル。
【発明の詳細な説明】
【０００１】
【発明の属する技術分野】
本発明はストローを用いない直飲みと、ストローを使用した吸い飲みとに選択使用できるハイブリッドボトルに関するものである。
【０００２】
【従来の技術】
お茶やコーヒー、紅茶などの嗜好性飲料、ミネラルウオーターや蒸留水などの浄水や清水、スポーツ飲料などの各種飲料が、ボトルに収容して、身近に置き、あるいは携行して用いられている。
【０００３】
こうしたポットを用いるのに、スポーツ中、あるいはスポーツ終了時など、失った水分を補給するために比較的多量の飲料を一挙に飲み干すことの多い用途では、容器本体の飲み口から直飲みが適している。一方、分別の弱い児童等が思わず多量の飲料を一挙に飲んでしまうのを制限したり、少量ずつ飲みやすくしたり、化粧をした女性などが飲み口に触れないで飲めるようにしたりする用途では、ストローを使用して吸い飲みできるようにするのが適している。特に、蛇腹部を持ったストローでは、蛇腹部の折り曲げ向きによって容器本体の向きに制限されずに自由な向きから飲める利点がある。
【０００４】
従来、図８に示すような専用ストローａを用いて飲料を吸い飲みするボトルが知られている（特許文献１参照）。このものは、図８に示すように容器本体ｂの容器口ｃに、専用ストローａを突出方向にばねｊで付勢して支持する支持部材ｄを装着し、支持部材ｄの一部にヒンジｅにより開閉できるように連結した蓋ｆを設けている。蓋ｆは専用ストローａを押し込んだ閉じ状態でその自由端側が支持部材ｄの係止部ｇによって弾性係止され、専用ストローａを押し込み状態に保持するようにしている。専用ストローａは前記ばね付勢のためのばね受部ｈと、突出位置にて容器本体ｂの底部近くに位置して収容飲料を余り残さずに飲み切れるようにする下端部と、突出位置から押し込まれたときの容器本体ｂの底部との干渉を可撓性によって吸収するための可撓管部ｋとを有している。
【０００５】
また、図９に示すような１つの栓ｍで注ぎ出しと直飲みとができるボトルも知られている（特許文献２参照）。このものは、図９に示すように容器口ｃに装着した栓ｍに注ぎ出し形式用の液通路ｎと直飲み形式用の液通路ｏを備えている。液通路ｎはその注ぎ口ｐと第１の弁体ｑを、液通路ｏはその飲み口ｒと第２の弁体ｓをそれぞれ備え、飲み口ｒの２態様への切り換え操作によって第１の弁体ｑと第２の弁体ｓのいずれかを開放し、注ぎ出しと直飲みとが選択できるようにしている。
【０００６】
さらに、図１０に示すような直飲みができるボトルも知られている（引用文献３参照）。このものは図１０に示すように、容器本体ｂの容器口ｃに飲み口部材ｔを装着し、この飲み口部材ｔの前部に飲み口ｒを形成し、後部に蓋ｆをヒンジｅにより開閉できるように連結してある。飲み口部材ｔの前記飲み口ｒとヒンジｅとの間に底部ｕを形成し、この底部ｕの飲み口ｒ側の最低位部に液通穴ｖを形成し、この液通穴ｖを通じて内容液が飲み口ｒへ注ぎ出されて直飲みできるようにしている。底部ｕのヒンジｅ側の最高位部に空気穴ｗを形成している。蓋ｆには閉じ状態にロックされて前記液通穴ｖと空気穴ｗとを閉じる弁部ｘ、ｙを有している。
【０００７】
【特許文献１】
特開２００２−１９１５１１号公報　（図３）
【０００８】
【特許文献２】
特開平０９−３１３３６３号公報　（図１）
【０００９】
【特許文献３】
特開２００２−１０２０７８号公報　（図１）
【００１０】
【発明が解決しようとする課題】
しかし、上記図８に示す従来例は専用ストローａを用いた吸い飲みだけができ、図９、図１０に示す従来例は飲み口ｒを用いた直飲みだけができるもので、それぞれ１通りの飲み方しかできない。従って、それら各１つにおいて、時と場合によって直飲みと、吸い飲みとを選択して用いることができない。図９に示すものは直飲みの他、注ぎ出しができても飲み方を複数選択することは満足できない。
【００１１】
また、吸い飲みができる図９に示すものは、専用ストローａを用いる代わりに、そのことによって蓋を開放すると自動的に突出する使用に便利な構造を難なく採用できる。しかし、専用ストローａは細く長いものになるので、小まめに洗浄しないと汚れやすいし、取り扱い上損傷もしやすいので、汚れや損傷によって交換使用とすると、専用ストローａをわざわざ入手しなければならない不便があるし、高価にもつく。
【００１２】
そこで、必要に応じて、多量生産され安価に市販される既製品である既製ストローを選択し使用できれば便利であり、望まれるところである。特に、蛇腹部を持った既製ストローが使用できれば、既述したように、容器本体の向きに制限されずに自由な向きから飲める。
【００１３】
また、やや大きな飲み口から直飲みできるボトルでは、既製ストローを挿入して吸い飲みすることができても、挿入した既製ストローを安定させられないので、人が動きながら飲むには飲みにくい。加えて、吸い飲み後に蓋をするとき既製ストローは収納しにくく、取り扱い難い。
【００１４】
本発明の目的は、ストローを用いない直飲みと、ストローを使用した吸い飲みとに選択使用できるハイブリッドボトルを提供することにある。
【００１５】
【課題を解決するための手段】
上記の目的を達成するために、本発明のハイブリッドボトルは、飲料を収容するための断熱構造を有した容器本体と、この容器本体の容器口において容器本体内に通じる液通路を一部に有して直飲みをすることができる飲み口を持った飲み口部と、前記液通路の途中に設けられて、突出作用部を有した専用のストローを出没および着脱できるように受け入れて支持する第１の穴と、この第１の穴の両側に連なって一方側では既製ストローの蛇腹部下の吸い上げ部を抜き差しできるように受け入れて支持し、他方側では前記蛇腹部を上に凸となるように屈曲させて下向きとなった吸い口を抜き差しできるように受け入れて格納状態に保持する第２、第３の穴と、を少なくとも有して直飲みのための直飲み開口を形成したストロー保持部と、を備え、ストローを用いない直飲みと、専用ストローを使用した吸い飲みと、既製ストローを使用した吸い飲みとに選択使用できることを１つの特徴としている。
【００１６】
このような構成では、断熱構造を有した容器本体によって飲料を収容し保温、保冷して側に置き、あるいは携行するなどしながら時々の飲用に供するのに、前記飲み口を用いた直飲みと、前記専用ストローまたは既製ストローを用いた吸い飲みとを選択したハイブリッド使用に供することができる。
【００１７】
具体的には、液通路は、その途中に有したストロー保持部の第１の穴にて専用ストローを、第２の穴にて既製ストローを、それぞれ液通路内で飲み口外側から容器本体内に通じさせて支持し、そのいずれかを使用した異なった特徴のある吸い飲みができるようにするし、これら専用ストローおよび既製ストローのいずれも使用しないことにより、互いに連続した第１、第２、第３の穴の全域を開放状態として少なくともこれらによるストローの通路断面積よりも数倍大きな直飲み開口を液通路に確保して、液通路の飲み口側と容器本体内側とをストローの邪魔なく通じさせ、ストローのような長い管による通路抵抗なく、かつ直飲み開口一部での吸気を伴い飲料を飲み口までスムーズに流出させて直飲みできるようにする。特に、直のみ開口が連続した３つの穴により大きく１つに形成されて、容器本体の傾きに応じた飲料の流出域および流量を得ながらより大きな残り域を得て十分な吸気を図って飲料がスムーズに流出されやすくする。
【００１８】
専用ストローと既製ストローは第１の穴と、第２、第３の穴とで異時および個別に支持し、使用するので、互いの太さを統一したり、支持構造を統一したりしなくてもよいし、使用しない側の穴を吸気口としてスムーズな吸い飲みができるようにする。
【００１９】
専用ストローに対しては、耐久性や突出作用部による出没と着脱ができる支持部を含めてやや大型で複雑なものに成りがちなことに順応しながら、通常は突出位置にあることで吸い飲みを容易にする一方、突出作用部に抗して没入させることにより専用ストローがほぼ突出しないコンパクトな格納にも対応して、格納状態でも取り扱いやすいものとすることができる。
【００２０】
既製ストローに対しては、蛇腹部を有するだけのシンプルな形態を活かして蛇腹部下の吸い上げ部を抜き差しできるように受け入れて支持するだけで突出状態に安定させて吸い飲みしやすくする一方、前記蛇腹部を上に凸となるように屈曲させると飲み口が下向きになるのを第２の穴に抜き差しできるように受け入れて保持することにより、既製ストローがほぼ突出しないコンパクトな格納にも対応して、格納状態でも取り扱いやすいものとすることができる。
【００２１】
本発明のハイブリッドボトルは、また、飲料を収容するための容器本体と、　この容器本体の容器口の外端の飲み口にて直飲みをすることができる液通路と、この液通路の途中に設けられて、突出作用部を有した専用のストローを受け入れて出没および着脱できるように吸気部を残して支持し、蛇腹部を有した既製ストローをその蛇腹部下の吸い上げ部を抜き差しできるように受け入れて吸気部を残して支持するとともに、前記蛇腹部を上に凸となるように屈曲させて下向きとなった吸い口を抜き差しできるように受け入れて格納状態に保持するストロー保持部と、を備え、ストローを用いない直飲みと、ストローを使用した吸い飲みとに選択使用できることを別の特徴としている。
【００２２】
このような構成では、容器本体によって飲料を収容して側に置きあるいは携行するなどしながらその時々の飲用に供するのに、前記飲み口を用いた直飲みと、前記専用ストローまたは既製ストローを用いた吸い飲みとを選択したハイブリッド使用に供することができる。
【００２３】
具体的には、液通路は、その途中に有したストロー保持部にて専用ストローや既製ストローを、それぞれ液通路内で飲み口外側から容器本体内に通じさせるとともに吸気口を残して支持し、そのいずれかを使用した異なった特徴の吸い飲みができるようにするし、これら専用ストローおよび既製ストローのいずれも使用しないことにより、ストロー保持部において少なくとも専用ストローおよび既製ストローを飲み口外側から容器本体内に通じさせて支持していた部分を開放して直飲みのための直飲み開口を、ストローの通路断面積よりも数倍大きく液通路に確保して、液通路の飲み口側と容器本体内側とをストローの邪魔なく通じさせ、ストローのような長い管による通路抵抗なく、かつ直飲み開口一部での吸気を伴い飲料を飲み口までスムーズに流出させて直飲みできるようにする。
【００２４】
専用ストローによっては、耐久性や突出作用部による出没と着脱ができる支持を得ながら、通常は突出位置にあることで吸い飲みを容易にする一方、突出作用部に抗して没入させることにより専用ストローがほぼ突出しないコンパクトな格納にも対応して、格納状態でも取り扱いやすいものとすることができる。
【００２５】
既製ストローによっては、蛇腹部を有するだけのシンプルな形態を活かして蛇腹部下の吸い上げ部を抜き差しできるように受け入れて支持するだけで突出状態に安定させて吸い飲みしやすくする一方、前記蛇腹部を上に凸となるように屈曲させると飲み口が下向きになるのを抜き差しできるように受け入れて保持することにより、既製ストローがほぼ突出しないコンパクトな格納にも対応して、格納状態でも取り扱いやすいものとすることができる。
【００２６】
この場合、ストロー保持部が、専用ストローと既製ストローとで個別な保持部を有している、さらなる構成では、
専用ストローおよび既製ストローのぞれぞれを異時および個別に支持し、使用することになるので、互いの太さを統一したり、支持構造を統一したりしなくてもよいし、使用しない側の穴を吸気口としてスムーズな吸い飲みができるようにする。
【００２７】
また、専用ストローの保持部は、専用ストローを抜き差し自在に受け入れるように１つ設けられる第１の穴であり、既製ストローの保持部は、前記第１の穴の両側に連なって一方側では既製ストローの蛇腹部下の吸い上げ部を抜き差しできるように受け入れて支持し、他方側では前記支持された既製ストローの蛇腹部を上に凸となるように屈曲させて下向きとなった吸い口を抜き差しできるように受け入れて格納状態に保持する第２、第３の穴である、さらなる構成では、
専用ストローおよび既製ストローの各支持を個別の穴で行うので、それらの太さや支持構造を統一しなくてよいし、既製ストローの格納状態を保持する穴も含め専用ストローおよび既製ストローの双方を用いないときのストロー保持部に確保できる直飲み開口を大きく確保することができ、吸気を伴う飲料の流出をよりスムーズに行わせるのに有利である。
【００２８】
また、第１の穴、第２、第３の穴は互いに連続して直飲みのための直飲み開口を形成している、さらなる構成では、
直のみ開口が大きく１つに形成されて、容器本体の傾きに応じた飲料の流出域および流量を得ながらより大きな残り域を得て十分な吸気を図って飲料がスムーズに流出されやすくする。
【００２９】
また、容器本体が断熱構造を有した断熱容器である、さらなる構成では、
収容した飲料を保温、保冷して取り扱うことができる。
【００３０】
また、専用ストローの突出作用部は、専用ストローの下部に設けられて容器本体の底部への押しつけ度合によって屈伸する可撓パイプ、または、ストロー保持部との間で専用ストローに直接または間接に働かせたばね部材として得られる。
【００３１】
また、前記容器口または飲み口に着脱できるように装着されて、専用ストローが装着されているときは、それを没入状態にして保持し、既製ストローが差し込まれているときは、前記格納状態の吸い口側を覆う蓋を備えている、さらなる構成では、
容器本体の容器口ないしは飲み口に装着されて容器口ないしは飲み口を蓋で閉じることによって、使用しているのが専用ストローの場合はそれを没入させて格納状態とするのと同時に、既製ストローの場合は既に格納状態とされているのをそのまま、覆うことができる。
【００３２】
また、前記格納状態となっている既製ストローの蛇腹部が、飲み口の上端よりも上方に突出している、さらなる構成では、
格納状態にある既製ストローの上に凸な蛇腹部が飲み口の上端よりも上方に突出していると、その突出している度合いに応じて、飲み口が小さくても蛇腹部の上に凸な部分を指でつまみやすいので、格納状態から引き出しやすく格納状態に保持されている飲み口を引き出して蛇腹部の引き延ばしを伴いスムーズに突出させて吸い飲み状態にすることができる。
【００３３】
また、第１の穴、第２、第３の穴が一直線上に並ぶ方向と交差する方向の両側に補助穴を有している、さらなる構成では、
第１〜第３の３つの穴が並ぶ方向が上下方向になるように容器本体が傾けられて直飲みが行われるときは、３つの穴が並ぶ直飲み開口の長い方向において飲料の流出域と吸気域とに分かれるので、容器の傾きに応じた流出域を確保しながら吸気域も十分にとりやすくなる。万一３つの穴が並ぶ方向と交差する方向が上下となるように容器本体が傾けられて直飲みが行われるときは、容器本体の傾きによって下側になる補助穴と３つの穴が並ぶ直飲み開口との全域が飲料の流出域となっても、上側の補助穴が吸気域となって吸気を確保できるので、飲料をスムーズに流出させられる。
【００３４】
また、容器本体の断熱構造は金属製の真空二重構造のものとすることができる。
【００３５】
本発明のそれ以上の目的および特徴は、以下に続く詳細な説明およぶ図面の記載によって明らかになる。本発明の各特徴はそれ自体単独で、あるいは種々な組合せで複合して採用することができる。
【００３６】
【実施例】
以下、本発明の実施例について幾つかの例とともに図１〜図７を参照しながら説明し、本発明の理解に供する。
【００３７】
本実施例のハイブリッドボトルは、１つの例として飲料を収容するための断熱構造を有した容器本体１を採用している。しかし、本発明のハイブリッド使用の特徴からは、断熱構造を持たないものを採用してもよくその効果は損なわれない。また、本実施例では断熱構造を有した容器本体１として図６に示すように胴部および底部に真空空間２を持った真空二重容器３を採用している。しかし、これに限られることはないし、断熱構造は断熱材を採用したものや複数の断熱構造が複合したものでもよいし、もっとも、断熱構造は容器本体１を構成する全壁に形成する方が収容した飲料に対する保温性、保冷性は高まる。真空二重容器３はまた、１つの例として金属製、具体的には熱伝導性が低く耐蝕性に優れたステンレス鋼製のものとしてあり、比較的剛性も高いことから合成樹脂や金属からなる外装ケースを設けず真空二重容器３自体が容器本体１の外面をなすようにしている。
【００３８】
本実施例はこのような容器本体１の容器口４において、容器本体１内に通じる液通路５を一部に有して直飲みをすることができる飲み口６を持った飲み口部７を有している。前記液通路５の途中には、図１、図３、図４に仮想線で示し、図６、図７に実線で示すような突出作用部８を有した専用のストロー９を出没および着脱できるように受け入れて支持する第１の穴１１と、この第１の穴１１の両側に連なって一方側では図１、図２に実線および仮想線で示し、図６に仮想線で示すような既製ストロー１０の蛇腹部１２下の吸い上げ部１０ａを抜き差しできるように受け入れて保持し、他方側では前記蛇腹部１２を図１の実線で示すように上に凸となるように屈曲させて下向きとなった吸い口１０ｂを抜き差しできるように受け入れて図１に実線で示すように格納状態に保持する第２、第３の穴１３、１４と、を少なくとも有して直飲みのための直飲み開口１５を形成したストロー保持部１６を備えて、専用、既製ストロー９、１０を用いない直飲みと、専用ストロー９を使用した吸い飲みと、既製ストロー１０を使用した吸い飲みとに選択使用できるようにしている。ストロー保持部１６は液通路５を横断する隔壁として設けられ、前記第１〜第３の穴１１、１３、１４を形成している。しかし、隔壁である必要はなく、前記支持ができれば液通路５を部分的に横断するブリッジタイプに設けられてもよい。
【００３９】
このような断熱構造を有した容器本体１は、飲料を収容し保温、保冷して側に置き、あるいは携行するなどしながらその時々の飲用に供することができ、その際に、前記飲み口６を用いた直飲みと、前記専用ストロー９または既製ストロー１０を用いた吸い飲みとを選択したハイブリッド使用ができる。
【００４０】
具体的には、液通路５は、その途中に有したストロー保持部１６の第１の穴１１にて専用ストロー９を、第２の穴１３にて既製ストロー１０を、それぞれ液通路５内で飲み口６外側から容器本体１内に通じさせて図１〜図４（ｂ）、図６、図７に示すように支持し、そのいずれかを使用した異なった特徴のある吸い飲みができるようにする。また、これら専用ストロー９および既製ストロー１０のいずれも使用しないことにより、互いに連続した第１、第２、第３の穴１１、１３、１４の全域を図４（ａ）のような開放状態として少なくともこれらによる専用、既製ストロー９、１０の通路断面積よりも数倍大きな直飲み開口１５を液通路５に確保して、液通路５の飲み口６側と容器本体１内側とを専用、既製ストロー９、１０の邪魔なく通じさせ、飲み口６の外側から容器本体１の底部内に届いて飲料を飲み干せる長い管である専用、既製ストロー９、１０による通路抵抗なく、かつ直飲み開口１５一部での吸気を伴い飲料を飲み口６までスムーズに流出させて直飲みできるようにする。
【００４１】
特に、直のみ開口１５が連続した３つの穴１１、１３、１４により図４（ａ）に示すように大きく１つに形成されて、容器本体１の傾きに応じた飲料の流出域および流量を得ながらより大きな残り域を得て十分な吸気を図って飲料がスムーズに流出されやすくする。しかも、専用ストロー９と既製ストロー１０は第１の穴１１と、第２、第３の穴１３、１４とで異時および個別に支持し、使用するので、互いの太さを統一したり、支持構造を統一したりしなくてもよいし、使用しない側の穴を吸気口としてスムーズな吸い飲みができるようにする。
【００４２】
例えば、専用ストロー９に対しては、耐久性や突出作用部８による出没と着脱ができる支持部を含めてやや大型で複雑なものに成りがちなことに順応しながら、通常は図３、図６に仮想線で示す突出位置にあることで吸い飲みを容易にする一方、突出作用部８に抗して没入させることにより専用ストロー９が図１に仮想線で示し、図６、図７に実線で示すようにほぼ突出しないコンパクトな格納にも対応して、格納状態でも取り扱いやすいものとすることができる。
【００４３】
また、既製ストロー１０に対しては、蛇腹部１２を有するだけのシンプルな形態を活かして蛇腹部１２下の吸い上げ部１０ａを抜き差しできるように受け入れて支持するだけで図１、図２に仮想線で示すような突出状態に安定させて吸い飲みしやすくする一方、前記蛇腹部１２を図１に実線で示し図２、図６に仮想線で示すように上に凸となるように屈曲させると吸い口１０ｂが下向きになるのを第３の穴１４に抜き差しできるように受け入れて保持することにより、既製ストロー１０がほぼ突出しないコンパクトな格納にも対応して、格納状態でも取り扱いやすいものとすることができる。
【００４４】
本実施例では、容器口４を図６に示すように真空二重容器３の口部に、真空二重容器３とは別体の合成樹脂製の口部材２１を螺子合わせ部２２によって着脱できるように装着して形成し、前記特定の形状および構造を有した飲み口部７を樹脂成形によって容易に得られるようにしている。しかし、容器口４、飲み口部７、飲み口６、ストロー保持部１６はどのように分割して形成されても、またどの範囲を一体にして形成されてもよい。また、用いる材料も自由に選択することができる。
【００４５】
口部材２１は口部３ａの内側に装着されているが、外側でもよく、口部３ａとの間の適所にシールパッキン２３を設けて相互間をシールしている。この種のシール位置は図６にその１つの例を示すように容器本体１の内面に最も近い位置が好適である。口部材２１に口部３ａとの嵌め合わせ部を覆うカバー壁を一体に形成しておくことはできる。しかし、本実施例では１つの例として容器口４から飲み口部７が径を小さくして偏心位置にて上に延びる部分にできる肩部２４および前記嵌め合わせ部を覆うカバー２５を設けて外観を整え、カバー２５と真空二重容器３の胴部とがほぼ面一に並ぶようにしてある。カバー２５は合成樹脂製として口部材２１に位置合わせおよびまわり止めのための凹凸嵌まり合い部２６を有して接合してある。接合は超音波などによる溶着、螺子止め、螺子合わせ、接着などにて行う。飲み口部７が偏心している側を下にして容器本体１を傾倒させて直飲みすると小さな傾倒角にて飲める。また、既製ストロー１０も飲み口６における飲み口部７の偏心側に位置する側で下側となるように容器本体１を傾倒させることにより飲料を飲みほしやすくなる。
【００４６】
本実施例のハイブリッドボトルは、また、別の視点からすると、飲料を収容するための容器本体１と、この容器本体１の容器口４の外端の飲み口６にて直飲みをすることができる液通路５を備えたものにおいて、この液通路５の途中に設けられて、突出作用部８を有した専用ストロー９を１つの例として図１、図３、図４、図５（ａ）に仮想線で示し、図６、図７に実線で示すように受け入れて出没および着脱できるように吸気部３１を残して支持し、蛇腹部１２を有した既製ストロー１０を１つの例として図１、図２、図５（ａ）、図６に仮想線で示すように、その蛇腹部１２下の吸い上げ部１０ａを抜き差しできるように受け入れて吸気部３２を残して支持するとともに、前記蛇腹部１２を図１に実線で示し、図２、図６に仮想線で示すように上に凸となるように屈曲させて下向きとなった吸い口１０ｂを図１に実線で示し、図２、図５（ａ）、図６に仮想線で示すように抜き差しできるように受け入れて格納状態に保持するストロー保持部１６を備えて、専用、既製ストロー９、１０を用いない直飲みと、専用ストロー９を使用した吸い飲みと、既製ストロー１０を使用した吸い飲みとに選択使用できるようにするものでもある。
【００４７】
この場合の容器本体１によっても、前記の場合と同様に、飲料を収容して側に置きあるいは携行するなどしながらその時々の飲用に供するのに、前記飲み口６を用いた直飲みと、前記専用ストロー９または既製ストロー１０を用いた吸い飲みとを選択してのハイブリッド使用ができる。
【００４８】
具体的には、液通路５は、その途中に有したストロー保持部１６にて専用ストロー９や既製ストロー１０を、それぞれ液通路５内で飲み口６外側から容器本体１内に通じさせるとともに吸気部３１、３２を残して支持し、そのいずれかを使用した異なった特徴の吸い飲みができるようにする。また、これら専用ストロー９および既製ストロー１０のいずれも使用しないことにより、ストロー保持部１６において少なくとも専用ストロー９および既製ストロー１０を飲み口６外側から容器本体１内に通じさせて支持していた部分を開放して直飲みのための直飲み開口１５を、専用、既製ストロー９、１０の通路断面積よりも数倍大きく液通路５に確保して、液通路５の飲み口６側と容器本体１内側とを専用、既製ストロー９、１０の邪魔なく通じさせ、飲み口６外側から容器本体１の底部に至って飲料のほぼ全量を吸い飲みできるようにする長い管である専用、既製ストロー９、１０による通路抵抗なく、かつ直飲み開口１５一部での吸気部３１、３２を通じた吸気を伴い飲料を飲み口６までスムーズに流出させて直飲みできるようにする。
【００４９】
特に、専用ストロー９によっては、耐久性や突出作用部８による出没と着脱ができる支持を得ながら、通常は突出位置にあることで吸い飲みを容易にする一方、突出作用部８に抗して没入させることにより専用ストロー９がほぼ突出しないコンパクトな格納にも対応して、格納状態でも取り扱いやすいものとすることができる。
【００５０】
また、既製ストロー１０によっては、蛇腹部１２を有するだけのシンプルな形態を活かして蛇腹部１２下の吸い上げ部１０ａを抜き差しできるように受け入れて支持するだけで突出状態に安定させて吸い飲みしやすくする一方、前記蛇腹部１２を上に凸となるように屈曲させると吸い口１０ｂが下向きになるのを抜き差しできるように受け入れて保持することにより、既製ストロー１０がほぼ突出しないコンパクトな格納にも対応して、格納状態でも取り扱いやすいものとすることができる。
【００５１】
ここで、本実施例ではストロー保持部１６が、１つの例として前記第１の穴１１と、第２、第３の穴１３、１４との組み合わせのように専用ストロー９と既製ストロー１０とで個別な保持部を有している。これにより、専用ストロー９および既製ストロー１０のぞれぞれを異時および個別に支持し、使用することになるので、互いの太さを統一したり、支持構造を統一したりしなくてもよいし、使用しない側の穴を吸気口としてスムーズな吸い飲みができるようにする。
【００５２】
このように、専用ストロー９の保持部は、専用ストロー９を抜き差し自在に受け入れるように１つ設けられる第１の穴１１であり、既製ストロー１０の保持部は、前記第１の穴１１の両側に連なって一方側では既製ストロー１０の蛇腹部１２下の吸い上げ部１０ａを抜き差しできるように受け入れて支持し、他方側では前記支持された既製ストロー１０の蛇腹部１２を上に凸となるように屈曲させて下向きとなった吸い口１０ｂを抜き差しできるように受け入れて格納状態に保持する第２、第３の穴１３、１４であることによって、３つの穴１１、１３、１４を用いて既述した通りの作用効果が得られる。また、これら第１の穴１１、第２、第３の穴１３、１４が互いに連続して直飲みのための直飲み開口１５を形成している場合の作用効果も既述の通りである。また、容器本体１が断熱構造を有した断熱容器である場合も既述の通りである。
【００５３】
また、第１の穴１１、第２、第３の穴１３、１４が図２、図３、図４（ａ）、図５（ｂ）に示すように一直線上に並ぶ方向と交差する方向の両側に補助穴３３を有している。これにより、第１〜第３の３つの穴１１、１３、１４が並ぶ図４（ａ）のＹ上、Ｙ下方向が上下方向になるように容器本体１が傾けられて直飲みが行われるときは、３つの穴１１、１３、１４が並ぶ直飲み開口１５の長い方向において、Ｙ上側の飲料の流出域とＹ下側の吸気域とに分かれるので、容器の傾きに応じた流出域を確保しながら吸気域も十分にとりやすくなる。万一３つの穴１１、１３、１４が並ぶ方向と交差するＸ上、Ｘ下方向が上下となるように容器本体１が傾けられて直飲みが行われるときは、容器本体１の傾きによって下側になる補助穴３３と３つの穴１１、１３、１４が並ぶ直飲み開口１５との全域が飲料の流出域となっても、上側の補助穴３３が吸気域となって吸気を確保できるので、飲料をスムーズに流出させられる。
【００５４】
ここで、専用ストロー９の突出作用部８は、図６に示すように専用ストロー９の下部に設けられて容器本体１の底部への押しつけ度合によって屈伸する可撓パイプ４１、または、図４（ｂ）、図７に示すようにストロー保持部１６との間で専用ストロー９に直接または間接に働かせたばね４２などとして得られる。
【００５５】
図６に示す可撓パイプ４１を有した専用ストロー９は、図６に示すように既製ストロー１０よりは強度の高いストロー本体９ａの下端に可撓パイプ４１を接続し、上端にややハードな飲み口９ｂを接続して第１の穴１１での出没、特に強制的な没入操作にも十分に長期に耐えられるようにしてある。可撓パイプ４１はシリコンゴムなどの弾性チューブよりなる。
【００５６】
図４（ｂ）、図７に示す例では、ばね部材４２として金属製のコイルスプリング４３を採用しているが、ゴムや合成樹脂などの弾性体のバネ製を利用したもので代替することもできる。図４（ｂ）の例では飲み口９ｂの溝９ｃに上端を嵌め付けたコイルスプリング４３の下端をストロー保持部１６により下方から受け止めて、コイルスプリング４３がストロー保持部１６を突出させるように働くようにしてある。コイルスプリング４３に代えて仮想線で示すように上端を溝９ｃに嵌め付けたゴムや樹脂などよりなる弾性筒４４の下端をストロー保持部１６で下方より受け止めて支持しても、専用ストロー９に突出習性を与えられる。
【００５７】
図７に示す例では、ストロー保持部１６の第２、第３の穴１３、１４に一対のフック状弾性脚４５ａを弾性係合させて着脱できるように装着されるホルダー４５に専用ストロー９を出没できるように保持し、これら双方の間にコイルスプリング４３を働かせて専用ストロー９に突出習性を与えるようにしてある。この場合、ホルダー４５と専用ストロー９をユニットにするために、ホルダー４５の上端に専用ストロー９の引き出しを防止する蓋４６を設けてある。蓋４６は溶着などして一体化してもよいし、メンテナンスや洗浄のために必要に応じて分離できるように螺子やヘリコイドなどによって着脱できるようにしておいてもよい。この場合もホルダー４５自体で専用ストロー９に突出習性を与えるように支持し、あるいは保持することもできる。
【００５８】
なお、図７に示す例では、ストロー保持部１６は飲み口６やそれを一体形成している飲み口部７ないしは口部材２１とは別体の隔壁材５１で形成して着脱できるものとしてある。これにより、専用ストロー９および既製ストロー１０のいずれも使用しないときは隔壁材５１を取り外すことにより、液通路５がストロー保持部１６を持たない全域が開口した状態になるので、最も直飲みしやすいし、場合によっては注ぎ出しすることも流れを乱したり流量を大きく制限したりするようなことなくスムーズに行える。
【００５９】
隔壁材５１は１つの例として金属板としてあるが、樹脂やその他の材料で形成されたものでよい。ゴムなどの弾性部材であれば圧入するだけで着脱できるように安定に装着することができる。図示する例では金属製であるために隔壁材５１は口部材２１が形成している上向きの段部５２と飲み口６の内周に螺子合わせ部５３によって着脱できるように上方から装着した止めリング５４との間に挟み持つ用にしてある。しかし、止めリング５４は弾性的に着脱できるようにしたり、その着脱構造を特に問うものではなく、金属板にてもそれ自体や口部材２１などの弾性を利用して着脱できるように装着することもできる。止めリング５４と隔壁材５１との間にはシールパッキン５５を設けてシールしてある。シールパッキン５５は隔壁材５１と段部５２との間にも設けてもよく、これらのシールパッキン５５は１つのものとして例えば隔壁材５１の外周に装着しておくことができる。
【００６０】
さらに、本実施例では、一つの例として図６、図７にしめすように、前記容器口７４または飲み口６に着脱できるように装着されて、専用ストロー９が装着されているときは、それを図６、図７に実線で示すように没入状態にして保持し、既製ストロー１０が差し込まれているときは、図６に仮想線で示すように前記格納状態の吸い口１０ｂ側を覆う蓋６１を備えている。この蓋６１により容器本体１の容器口４ないしは飲み口６に装着されて容器口４ないしは飲み口６を図６、図７に示すように閉じることによって、使用しているのが専用ストロー９の場合はそれを没入させて格納状態とするのと同時に、既製ストロー１０の場合は既に格納状態とされているのをそのまま、覆うことができる。
【００６１】
図６、図７において、蓋６１は１つの例として合成樹脂製であり、飲み口６の外周に螺子合わせ部６２を持って着脱できるように装着され、図６に示す例では飲み口６の上端との間を、図７に示す例では止めリング５４の上端との間をシールパッキン６３にてシールするようにしてある。もっとも、図７に示す例において、シールパッキン６３は飲み口６および止めリング５４の双方の上端との間をシールできるように設ければ、止めリング５４が外された使用状態においても、蓋６１を装着すれば飲み口６との間のシールを確保することができる。
【００６２】
また、既製ストロー１０の蛇腹部１２は、吸い上げ部１０ａが第２の穴１３に差し込まれて支持されるのに、下方を第２の穴１３の縁に受け止められ挿入深さの規制を受けたり、下方より支持されることはできるが、既製ストロー１０の下端が容器本体１の底部に届いているような場合は、そのような作用を受けないし、受けなくてもよい。また、既製ストロー１０の下向きな吸い口１０ｂが図１に実線で示し、図６に仮想線で示すように第３の穴１４に差し込まれるとき、蛇腹部１２の上端部は第３の穴１４の縁に受け止められることによって、吸い口１０ｂ側の第３の穴１４への差し込み量の規制を受け、前記格納状態となっている既製ストロー１０の上に凸な蛇腹部１２の最下位置を一定にすることができる。
【００６３】
この上に凸な蛇腹部１２は本実施例ではその１つの例として、図１に実線で示し、図２、図６に仮想線で示すように、飲み口６の上端よりも上方に突出しているようにしてある。このように、格納状態にある既製ストロー１０の上に凸な蛇腹部１２が飲み口６の上端よりも上方に突出していると、その突出している度合いに応じて、飲み口６が小さくても蛇腹部１２の上に凸な部分を指でつまみやすいので、格納状態から引き出しやすく格納状態に保持されている吸い口１０ｂを引き出して蛇腹部１２の図１に仮想線で示す引き延ばしを伴い飲み口６からスムーズに突出させて吸い飲み状態にすることができる。
【００６４】
なお、図６に示すように、カバー２５や蓋６１には紐連結部７１、７２が設けられている。紐連結部７１は１つの例としてカバー２５に一体形成したものとし、携帯用の下げ紐や肩掛け紐などを連結する。紐連結部７２は１つの例として蓋６１の下端部外周に無理嵌め部７３を持って装着した止めリング７４との間に挟み持って設けられた金属リング７５に一体成形して設け、蓋６１の紛失を防止するのに、紐連結部７１や肩掛け紐などに連結しておくための紛失防止紐を連結しておく。
【００６５】
なお、図１に仮想線で示すように、ストロー保持部１６を中央に向いて低くなる湾曲や傾斜を持ったものとすることにより、直飲みしたときの飲み口６付近での残り飲料やストローによる吸い飲み時にまわりにこぼれたり伝い落ちる飲料が中央に集まろうとして直飲み開口１５がら容器本体１内に戻りやすくなる。これに代えて一方側から他方側に傾斜したストロー保持部１５としてもよい。
【００６６】
【発明の効果】
本発明のハイブリッドボトルの１つの特徴によれば、断熱構造を有した容器本体によって飲料を収容し保温、保冷して側に置き、あるいは携行するなどしながら時々の飲用に供するのに、前記飲み口を用いた直飲みと、前記専用ストローまたは既製ストローを用いた吸い飲みとを選択したハイブリッド使用に供することができる。
【００６７】
具体的には、液通路は、その途中に有したストロー保持部の第１の穴にて専用ストローを、第２の穴にて既製ストローを、それぞれ液通路内で飲み口外側から容器本体内に通じさせて支持し、そのいずれかを使用した異なった特徴のある吸い飲みができるようにするし、これら専用ストローおよび既製ストローのいずれも使用しないことにより、互いに連続した第１、第２、第３の穴の全域を開放状態として少なくともこれらによるストローの通路断面積よりも数倍大きな直飲み開口を液通路に確保して、液通路の飲み口側と容器本体内側とをストローの邪魔なく通じさせ、ストローのような長い管による通路抵抗なく、かつ直飲み開口一部での吸気を伴い飲料を飲み口までスムーズに流出させて直飲みできるようにする。特に、直のみ開口が連続した３つの穴により大きく１つに形成されて、容器本体の傾きに応じた飲料の流出域および流量を得ながらより大きな残り域を得て十分な吸気を図って飲料がスムーズに流出されやすくする。
【００６８】
専用ストローと既製ストローは第１の穴と、第２、第３の穴とで異時および個別に支持し、使用するので、互いの太さを統一したり、支持構造を統一したりしなくてもよいし、使用しない側の穴を吸気口としてスムーズな吸い飲みができるようにする。
【００６９】
専用ストローに対しては、耐久性や突出作用部による出没と着脱ができる支持部を含めてやや大型で複雑なものに成りがちなことに順応しながら、通常は突出位置にあることで吸い飲みを容易にする一方、突出作用部に抗して没入させることにより専用ストローがほぼ突出しないコンパクトな格納にも対応して、格納状態でも取り扱いやすいものとすることができる。
【００７０】
既製ストローに対しては、蛇腹部を有するだけのシンプルな形態を活かして蛇腹部下の吸い上げ部を抜き差しできるように受け入れて支持するだけで突出状態に安定させて吸い飲みしやすくする一方、前記蛇腹部を上に凸となるように屈曲させると飲み口が下向きになるのを第２の穴に抜き差しできるように受け入れて保持することにより、既製ストローがほぼ突出しないコンパクトな格納にも対応して、格納状態でも取り扱いやすいものとすることができる。
【００７１】
本発明のハイブリッドボトルの別の特徴によれば、容器本体によって飲料を収容して側に置きあるいは携行するなどしながらその時々の飲用に供するのに、前記飲み口を用いた直飲みと、前記専用ストローまたは既製ストローを用いた吸い飲みとを選択したハイブリッド使用に供することができる。
【００７２】
具体的には、液通路は、その途中に有したストロー保持部にて専用ストローや既製ストローを、それぞれ液通路内で飲み口外側から容器本体内に通じさせるとともに吸気口を残して支持し、そのいずれかを使用した異なった特徴の吸い飲みができるようにするし、これら専用ストローおよび既製ストローのいずれも使用しないことにより、ストロー保持部において少なくとも専用ストローおよび既製ストローを飲み口外側から容器本体内に通じさせて支持していた部分を開放して直飲みのための直飲み開口を、ストローの通路断面積よりも数倍大きく液通路に確保して、液通路の飲み口側と容器本体内側とをストローの邪魔なく通じさせ、ストローのような長い管による通路抵抗なく、かつ直飲み開口一部での吸気を伴い飲料を飲み口までスムーズに流出させて直飲みできるようにする。
【００７３】
専用ストローによっては、耐久性や突出作用部による出没と着脱ができる支持を得ながら、通常は突出位置にあることで吸い飲みを容易にする一方、突出作用部に抗して没入させることにより専用ストローがほぼ突出しないコンパクトな格納にも対応して、格納状態でも取り扱いやすいものとすることができる。
【００７４】
既製ストローによっては、蛇腹部を有するだけのシンプルな形態を活かして蛇腹部下の吸い上げ部を抜き差しできるように受け入れて支持するだけで突出状態に安定させて吸い飲みしやすくする一方、前記蛇腹部を上に凸となるように屈曲させると飲み口が下向きになるのを抜き差しできるように受け入れて保持することにより、既製ストローがほぼ突出しないコンパクトな格納にも対応して、格納状態でも取り扱いやすいものとすることができる。
【００７５】
この場合、ストロー保持部が、専用ストローと既製ストローとで個別な保持部を有している、さらなる構成によれば、専用ストローおよび既製ストローのそれぞれを異時および個別に支持し、使用することになるので、互いの太さを統一したり、支持構造を統一したりしなくてもよいし、使用しない側の穴を吸気口としてスムーズな吸い飲みができるようにする。
【００７６】
また、専用ストローの保持部は、専用ストローを抜き差し自在に受け入れるように１つ設けられる第１の穴であり、既製ストローの保持部は、前記第１の穴の両側に連なって一方側では既製ストローの蛇腹部下の吸い上げ部を抜き差しできるように受け入れて支持し、他方側では前記支持された既製ストローの蛇腹部を上に凸となるように屈曲させて下向きとなった吸い口を抜き差しできるように受け入れて格納状態に保持する第２、第３の穴である、さらなる構成によれば、
専用ストローおよび既製ストローの各支持を個別の穴で行うので、それらの太さや支持構造を統一しなくてよいし、既製ストローの格納状態を保持する穴も含め専用ストローおよび既製ストローの双方を用いないときのストロー保持部に確保できる直飲み開口を大きく確保することができ、吸気を伴う飲料の流出をよりスムーズに行わせるのに有利である。
【００７７】
専用ストローの突出作用部は、専用ストローの下部に設けられて容器本体の底部への押しつけ度合によって屈伸する可撓パイプ、または、ストロー保持部との間で専用ストローに直接または間接に働かせたばね部材として得られる。
【００７８】
また、前記容器口または飲み口に着脱できるように装着されて、専用ストローが装着されているときは、それを没入状態にして保持し、既製ストローが差し込まれているときは、前記格納状態の吸い口側を覆う蓋を備えている、さらなる構成によれば、容器本体の容器口ないしは飲み口に装着されて容器口ないしは飲み口を蓋で閉じることによって、使用しているのが専用ストローの場合はそれを没入させて格納状態とするのと同時に、既製ストローの場合は既に格納状態とされているのをそのまま、覆うことができる。
【００７９】
また、前記格納状態となっている既製ストローの蛇腹部が、飲み口の上端よりも上方に突出している、さらなる構成によれば、格納状態にある既製ストローの上に凸な蛇腹部が飲み口の上端よりも上方に突出していると、その突出している度合いに応じて、飲み口が小さくても蛇腹部の上に凸な部分を指でつまみやすいので、格納状態から引き出しやすく格納状態に保持されている飲み口を引き出して蛇腹部の引き延ばしを伴いスムーズに突出させて吸い飲み状態にすることができる。
【００８０】
また、第１の穴、第２、第３の穴が一直線上に並ぶ方向と交差する方向の両側に補助穴を有している、さらなる構成によれば、第１〜第３の３つの穴が並ぶ方向が上下方向になるように容器本体が傾けられて直飲みが行われるときは、３つの穴が並ぶ直飲み開口の長い方向において飲料の流出域と吸気域とに分かれるので、容器の傾きに応じた流出域を確保しながら吸気域も十分にとりやすくなる。万一３つの穴が並ぶ方向と交差する方向が上下となるように容器本体が傾けられて直飲みが行われるときは、容器本体の傾きによって下側になる補助穴と３つの穴が並ぶ直飲み開口との全域が飲料の流出域となっても、上側の補助穴が吸気域となって吸気を確保できるので、飲料をスムーズに流出させられる。
【図面の簡単な説明】
【図１】本発明の実施例のハイブリッドボトルを専用ストローおよび既製ストローの１つの使用状態例で示す要部の断面図である。
【図２】図１のハイブリッドボトルでの既製ストロー使用状態を示す要部の斜視図である。
【図３】図１のハイブリッドボトルでの専用ストロー使用状態を示す要部の斜視図である。
【図４】図１のハイブリッドボトルの要部を示し、その（ａ）は平面図、その（ｂ）は専用ストローの別の使用例で示す要部の断面図である。
【図５】図１のハイブリッドボトルの要部を示し、その（ａ）は専用、既製ストローの１つの使用例にて示す平面図、その（ｂ）はストロー不使用状態での断面図、その（ｃ）は側面図である。
【図６】図１のハイブリッドボトルの全体構成を専用、既製ストローの１つの使用例で示す断面図である。
【図７】図１のハイブリッドボトルの要部を専用ストローの今１つの使用例で示す断面図である。
【図８】専用ストローによる吸い飲みができるボトルの従来例を示す全体の断面図である。
【図９】直飲みと注ぎ出しができるボトルの従来例を示す要部の断面図である。
【図１０】直飲みができるボトルの従来例を示す要部の断面図である。
【符号の説明】
１　容器本体
２　真空空間
３　真空二重容器
４　容器口
５　液通路
６　飲み口
７　飲み口部
８　突出作用部
９　既製ストロー
１０　既製ストロー
１１　第１の穴
１２　蛇腹部
１３　第２の穴
１４　第３の穴
１５　直飲み開口
１６　ストロー保持部
２１　口部材
３１、３２　吸気部
３３　補助穴
４１　可撓パイプ
４２　ばね部材
４３　コイルスプリング
４４　弾性筒
４５　ホルダー
５１　隔壁材
５４　止めリング
６１　蓋
６２　螺子合わせ部
【図１】
2004131129.tif 000003
【図２】
2004131129.tif 000004
【図３】
2004131129.tif 000005
【図４】
2004131129.tif 000006
【図５】
2004131129.tif 000007
【図６】
2004131129.tif 000008
【図７】
2004131129.tif 000009
【図８】
2004131129.tif 000010
【図９】
2004131129.tif 000011
【図１０】
2004131129.tif 000012